(57)【要約】【課題】基板が交換された場合に、画像補正データを容易に新しい基板のメモリに複写することができる画像処理装置を提供する。【解決手段】デジタル複合機１の電源がオンになったとき、メイン基板とオプション基板のメモリにガンマ補正データが記憶されていると、メイン基板に記憶されている機台毎のガンマ補正データが読取画像信号処理回路に転送され、オプション基板にデータが記憶されていないと、オプション基盤にメイン基板のデータが複写される（ステップ101〜104）。また、メイン基板にデータがなく、オプション基板にデータがある場合には、メイン基板にオプション基板のデータが複写され、両方の基板にデータがない場合には、デフォルトのガンマ補正データが読取画像信号処理回路に転送される（ステップ105〜107）。【選択図】図５
2007258997.tif 000002
【特許請求の範囲】
【請求項１】
主基板上に画像補正データを格納するメモリを備えた画像処理装置において、
主基板に接続されるオプション基板を備え、上記主基板上のメモリと上記オプション基板上のメモリに同一の画像補正データが格納されるとともに、上記オプション基板側のメモリがオプション基板に対して着脱自在に構成されていることを特徴とする画像処理装置。
【請求項２】
請求項１に記載された画像処理装置において、
上記主基板側のメモリ及び上記オプション基板側のメモリがフラッシュメモリであることを特徴とする画像処理装置。
【請求項３】
請求項１または請求項２に記載された画像処理装置において、
上記主基板側のメモリと上記オプション側のメモリ間で画像補正データの転送を制御するデータ転送手段を備え、上記オプション側のメモリに画像補正データが格納されていない時、上記データ転送手段が上記主基板側のメモリに格納された画像補正データをオプション側のメモリに複写することを特徴とする画像処理装置。
【請求項４】
請求項３に記載された画像処理装置において、
上記主基板側のメモリに画像補正データが格納されていない時、上記データ転送手段が上記オプション基板側のメモリに格納された画像補正データを上記主基板側のメモリに複写することを特徴とする画像処理装置。
【発明の詳細な説明】
【技術分野】
【０００１】
本発明は、デジタル複合機やコピー機等の画像処理装置に関し、特に画像信号を画像補正データによって補正する画像処理装置に関する。
【背景技術】
【０００２】
複写機能、ファクシミリ機能、プリント機能、スキャナ機能等を有するデジタル複合機やコピー機等の画像処理装置では、最近、カラースキャナ機能を備えた機器が増加している。
このようにカラースキャナ機能を搭載した画像処理装置では、ＲＧＢの濃度特性の相違、すなわち、階調特性（ガンマ特性）のバランスを調整するために、専用のテストチャートを読み取らせた時の値から、各色のガンマ補正テーブルを生成してメモリに記憶させておくことにより、色差が少なくなるように調整している（例えば、特許文献１参照）。
【特許文献１】特開２００５−１１７６６７号公報
【発明の開示】
【発明が解決しようとする課題】
【０００３】
上記のように、従来の画像処理装置では、各機台で同じカラー読取特性を有するようにガンマ補正テーブル等の画像補正データを各機台の固有の情報として記憶させるようにしているが、カラーガンマ補正テーブルは容量が大きく、フィールドで再入力することが困難であるので、例えば、デジタル複合機では、従来、主基板上のＥＥＰＲＯＭ（Electrically Erasable and Programmable ROM）にカラーガンマ補正データを記憶させており、主基板の交換の際には、古い基板からＥＥＰＲＯＭを取り外し、新しい基板に差し替える必要があり、基板交換に手間がかかる、という問題があった。
【０００４】
また、主基板自体もＥＥＰＲＯＭを着脱可能な構造としなければならず、さらに、ＥＥＰＲＯＭの周辺回路も設ける必要があり、構成が複雑となって、コストが上昇していた。特に、１種類の基板でモノクロ機もカラー機も対応する機械の場合、モノクロでは必要のない部品を載せることになり、これを避けるためには、基板の種類を２種類にしなければならず、非効率であった。
【０００５】
本発明は、上記の問題に鑑みてなされたもので、主基板が交換された場合に、画像補正データを容易に新しい基板のメモリに複写することができる画像処理装置を提供することを目的とする。
【課題を解決するための手段】
【０００６】
上述の目的を達成するため、請求項１に係る発明の画像処理装置は、主基板上に画像補正データを格納するメモリを備えた画像処理装置において、主基板に接続されるオプション基板を備え、上記主基板上のメモリと上記オプション基板上のメモリに同一の画像補正データが格納されるとともに、上記オプション基板側のメモリがオプション基板に対して着脱自在に構成されていることを特徴とし、
請求項２に係る発明の画像処理装置は、請求項１に記載された画像処理装置において、上記主基板側のメモリ及び上記オプション基板側のメモリがフラッシュメモリであることを特徴とする。
【０００７】
また、請求項３に係る発明の画像処理装置は、請求項１または請求項２に記載された画像処理装置において、上記主基板側のメモリと上記オプション側のメモリ間で画像補正データの転送を制御するデータ転送手段を備え、上記オプション側のメモリに画像補正データが格納されていない時、上記データ転送手段が上記主基板側のメモリに格納された画像補正データをオプション側のメモリに複写することを特徴とし、
請求項４に係る発明の画像処理装置は、請求項３に記載された画像処理装置において、上記主基板側のメモリに画像補正データが格納されていない時、上記データ転送手段が上記オプション基板側のメモリに格納された画像補正データを上記主基板側のメモリに複写することを特徴とする。
【発明の効果】
【０００８】
請求項１に係る発明の画像処理装置によれば、主基板が別の主基板に交換された場合には、オプション基板のメモリから画像補正データを主基板のメモリに複写することができるので、主基板の交換の際には、古い基板からメモリを取り外す必要がなくなるので、基板交換を簡単に行うことができ、また、主基板自体をメモリが着脱可能な構造とする必要がないので、コストを抑えることができる。なお、デジタル複合機の場合、ＬＡＮ接続のためのオプション基板が装着できるようになっているので、コスト的な影響はない。
また、請求項２に係る発明の画像処理装置によれば、主基板側のメモリ及びオプション基板側のメモリがフラッシュメモリにより構成されるので、回路構成を簡単にすることができる。
【０００９】
さらに、請求項３、請求項４に係る発明の画像処理装置によれば、オプション側のメモリに画像補正データが格納されていない時、主基板側のメモリに格納された画像補正データがオプション側のメモリに複写され、主基板側のメモリに画像補正データが格納されていない時、オプション基板側のメモリに格納された画像補正データが主基板側のメモリに複写されるので、例えば、主基板を新しい基板に交換した場合、自動的に、オプション基板側のメモリに格納された画像補正データが主基板側のメモリに複写されるので、更に基板の交換作業を簡単にすることができる。
なお、主基板やオプション基板を他の機台に取り付けられていた基板と交換した場合には、メモリにはその他の機台についての画像補正データが記憶されているが、この場合には、手動により交換されていない基板側のメモリに格納された画像補正データを交換された基板側のメモリに複写することにより、対応することができる。
【実施例】
【００１０】
以下、本発明の画像処理装置をデジタル複合機に適用した実施例について説明する。図１はデジタル複合機を備えたシステムのネットワーク構成例を示す図であり、図２はデジタル複合機のハードウェア構成を示すブロック図である。
【００１１】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことも可能である。
【００１２】
図２はデジタル複合機１の制御系の構成を示す概略ブロック図であり、図に示すように、デジタル複合機１はＭＰＵ（Micro  Processing  Unit）１１、フラッシュメモリ１２、ＳＲＡＭ（Stand-by  Random  Access  Memory）１３、メモリコントローラ１４、画像メモリ１５、コーデック１６、モデム１７、ネットワーク制御ユニットＮＣＵ１８、プリント画像信号処理回路１９、プリンタ２０、読取機構制御回路２１、光源２２、カラーＣＣＤ２３、アナログフロントエンド（以下、ＡＦＥという）２４、読取画像信号処理回路２５、操作パネル２６、ＬＣＤ２７、タッチスクリーン２８、インターフェース３１、ＭＰＵ（２）３２、ＲＡＭ３３、ＬＡＮインターフェース（Ｉ／Ｆ）３４、コンパクトフラッシュ（登録商標）３５等により構成され、各部がバス２９、３６を介して接続されている。
【００１３】
そして、デジタル複合機１のメイン基板１０にＭＰＵ１１、フラッシュメモリ１２、ＳＲＡＭ１３、メモリコントローラ１４、画像メモリ１５、コーデック１６、モデム１７、ネットワーク制御ユニットＮＣＵ１８及びプリント画像信号処理回路１９が搭載されており、オプション基板３０にインターフェース３１、ＭＰＵ（２）３２、ＲＡＭ３３、ＬＡＮインターフェース３４及びコンパクトフラッシュ（登録商標）３５が搭載されている。
【００１４】
ＭＰＵ１１はバス２９を介してデジタル複合機１のハードウェア各部を制御するとともに、フラッシュメモリ１２に記憶されたプログラムに基づいて各種のプログラムを実行し、フラッシュメモリ１２は、図３に示すように、デジタル複合機の動作に必要な種々のプログラムや操作メッセージ及びデフォルト（機種共通）のガンマ補正データを記憶する記憶領域と、機台毎のシェーディング補正データ及びガンマ補正データの記憶領域を備えている。また、ＳＲＡＭ１３はプログラムの実行時に発生する一時的なデータを記憶する。
【００１５】
メモリコントローラ１４は画像メモリ１５への画像信号の書込み、読出しを制御し、画像メモリ１５はＤＲＡＭ等を用いて構成され、送信すべき画像データまたは受信した画像データあるいは読み取った画像データを記憶し、コーデック１６は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００１６】
また、モデム１７はバス２９に接続されており、ファクシミリ通信が可能なファクスモデムとしての機能を有し、このモデム１９は同様にバス２９に接続されたＮＣＵ１８と接続されている。ＮＣＵ１８はアナログ回線の閉結及び開放の動作を行うハードウェアであり、必要に応じてモデム１７をＰＳＴＮ５に接続する。
プリント画像信号処理回路１９は、プリント画像信号を処理してプリンタ２０に入力し、プリンタ２０は、電子写真方式等のプリンタ装置であり、受信したデータ、コピー原稿データあるいは外部のパソコン２、３、４等から送信されたプリントデータをプリントアウトする。
【００１７】
読取機構制御回路２１は、原稿読取時にオートドキュメントフィーダー（ＡＤＦ）やフラットベッドスキャナ（ＦＢＳ）等の読取り用原稿載置台（図示せず）を制御するとともに、光源２２を点灯し、カラーＣＣＤ２３により読み取られた信号がＡＦＥ２４に入力される。このＡＦＥ２４はカラーＣＣＤ２３からの信号をサンプル／ホールド及び増幅して読取画像信号処理回路２５に入力し、読取画像信号処理回路２５は白黒及びＲ、Ｇ、Ｂの３色よりなる色成分のデジタル画像データを生成する。
【００１８】
さらに、操作パネル２６は、デジタル複合機１の動作状態を表示したり、種々の機能の操作画面の表示を行う表示部と、デジタル複合機１を操作するための複数のキーよりなり、表示部を構成するＬＣＤ２７にはタッチスクリーン２８が配設され、ＬＣＤ２７に表示された項目部分を押下することで、対応する項目の選択や機能の実行を行うことができる。
【００１９】
一方、オプション基板３０に搭載されたインターフェース３１は、バス２９とバス３６との間でのインターフェース処理を実行し、ＭＰＵ（２）３２は、このオプション基板３０に搭載された機器の制御を実行する。また、ＲＡＭ３３はＭＰＵ（２）３２のプログラム実行時に発生する一時的なデータを記憶し、ＬＡＮインターフェース３４はＬＡＮ６に接続され、インターネット網７からの信号を受信する一方、ＬＡＮ６に対して信号やデータを送信するものであり、信号変換やプロトコル変換などのインターフェース処理を実行する。さらに、コンパクトフラッシュ（登録商標）３５は、オプション基板３０に着脱自在な機構により搭載されており、ガンマ補正データの記憶領域を備えている。
【００２０】
図４は、上記のカラーＣＣＤ２３、ＡＦＥ２４、読取画像信号処理回路２５の詳細を示すブロック図であり、以下、これらの構成について説明する。
カラーＣＣＤ２３は、Ｒ、Ｇ、Ｂ、Ｋからなる４チャンネルＣＣＤであり、原稿をスキャンすることにより３つのカラー信号Ｒ、Ｇ、Ｂと１チャンネルモノクロ信号（Ｂ／Ｗ）を出力し、タイミング生成回路４１は、基準クロック（Ｃlk）に基づいて１画素単位のクロックを発生するとともに、この１画素単位のクロックを計数して１ラインの画素アドレスを出力し、このアドレスをデコードすることにより、シフトパルスやリセットパルス等のライン単位のＣＣＤ駆動信号やＣＣＤからの１ライン読取領域中の有効領域信号、ライン同期信号を出力する。
【００２１】
そして、カラーＣＣＤ２３の白黒（Ｂ／Ｗ）センサは、タイミング生成回路４１からのタイミング信号に基づいて原稿画像を光学的に読み取り、白黒画像信号（Ｂ／Ｗ）をＡＦＥ２４に出力し、ＡＦＥ２４は、このアナログデータをサンプル／ホールド及び増幅してＡ／Ｄ変換器４２に出力する。
【００２２】
Ａ／Ｄ変換器４２はアナログデータを例えば８ビットのデジタルデータ（２５６階調）に変換してシェーディング補正回路４３に入力し、シェーディング補正回路４３はデジタルデータに対して、シェーディング補正データに基づき、光源の照度ムラ、ＣＣＤイメージセンサの各素子間の感度バラツキあるいはレンズ特性等を補正するシェーディング補正を行う。
また、ガンマ（γ）補正テーブル４４はシェーディング補正回路４３の出力をテーブルに従ってガンマ補正を行って２値化回路４５に入力し、２値化回路４５はその画素が白か黒か（０か１か）の値に変換して出力する。
【００２３】
一方、カラーＣＣＤ２３のＲＧＢセンサからのアナログデータ出力は、タイミング生成回路４１の出力により入力切替を行うマルチプレクサ（ＭＰＸ）４６により順次選択されてＡＦＥ２４に入力され、上記と同様に、ＡＦＥ２４でサンプル／ホールド及び増幅されてＡ／Ｄ変換器４７に出力され、Ａ／Ｄ変換器４７で８ビットのデジタルデータに変換された画像データは、シェーディング補正回路４８によりＲＧＢシェーディング補正データに基づいてシェーディング補正が実行される。
【００２４】
そして、シェーディング補正回路４８の出力は、タイミング生成回路４１の出力により出力切替を行うデマルチプレクサ（ＤＭＰＸ）４９により、Ｒ：ガンマ補正テーブル５０、Ｇ：ガンマ補正テーブル５１及びＢ：ガンマ補正テーブル５２に順次切り替えて出力され、各色のガンマ補正テーブルによって理想的な階調特性に合わせるべく、濃度補正（階調性補正制御）が実行される。
なお、ラインずれ補正メモリ５３、５４は、カラーＣＣＤ２３のＲ、Ｇ、Ｂ各成分のカラーイメージセンサの画像を読み取る位置が異なる為、各イメージセンサで読み取った同一走査ライン上の各出力がずれて出力されるので、このずれを補正してタイミングを一致させて出力させるためのものであり、Ｂ信号を基準として、Ｒ信号、Ｇ信号を遅延させて出力する。
【００２５】
デジタル複合機１は上記のような構成を備えており、ファクシミリ送信時には、原稿の画像データがカラーＣＣＤ２３により読み取られ、読取画像信号処理回路２５からの画像信号がコーデック１６で圧縮されてメモリコントローラ１４を介して画像メモリ１５に蓄積される。この圧縮された画像データが画像メモリ１５から読み出されてモデム１７で変調され、ＮＣＵ１８からＰＳＴＮ５を通して通信相手先に送信される。また、ファクシミリ受信時には、受信した画像データがモデム１７で復調され、メモリコントローラ１４を介して画像メモリ１５に蓄積された後、コーデック１６で復号されてプリント画像信号処理回路１９に入力され、プリンタ２０により印刷される。
【００２６】
一方、デジタル複合機１の出荷時には、光源の照度ムラ、ＣＣＤイメージセンサの各素子間の感度バラツキあるいはレンズ特性等を補正するため、記録用紙読み取り時の画像読取信号の値がシェーディング補正データとしてフラッシュメモリ１２に記憶されるとともに、読取部におかれたテストチャート上の所定位置の読取信号（濃度）の値と、各所定位置における目標濃度とを比較することにより、白黒、Ｒ、Ｇ、Ｂ毎のガンマ補正データが生成されてフラッシュメモリ１２に記憶される。
【００２７】
そして、デジタル複合機１の電源オン時に上記のガンマ補正データが読取画像信号処理回路２５のガンマ補正テーブルに転送されるが、このガンマ補正データの転送時の作用について、図５のフローチャートにより説明する。
デジタル複合機１の電源がオンになると、ＭＰＵ１１は、図５のフローチャートに示す補正データ転送プログラムを開始し、まず、メイン基板１０のフラッシュメモリ１２に機台毎のガンマ補正データが記憶されているか否かを判定し（ステップ１０１）、フラッシュメモリ１２に機台毎のガンマ補正データが記憶されていると判定した場合、オプション基板３０のコンパクトフラッシュ（登録商標）３５にガンマ補正データが記憶されているか否かを判定する（ステップ１０２）。
【００２８】
ステップ１０２でコンパクトフラッシュ（登録商標）３５にガンマ補正データが記憶されていると判定した場合、ＭＰＵ１１は、フラッシュメモリ１２に記憶されている機台毎のガンマ補正データを読取画像信号処理回路２５のγ補正テーブル４４、Ｒ：ガンマ補正テーブル５０、Ｇ：ガンマ補正テーブル５１及びＢ：ガンマ補正テーブル５２に転送した（ステップ１０３）後、プログラムを終了する。
【００２９】
一方、ステップ１０２でコンパクトフラッシュ（登録商標）３５にガンマ補正データが記憶されていないと判定した場合、ＭＰＵ１１は、フラッシュメモリ１２に記憶されている機台毎のガンマ補正データをコンパクトフラッシュ（登録商標）３５に複写した（ステップ１０４）後、フラッシュメモリ１２に記憶されている機台毎のガンマ補正データを読取画像信号処理回路２５のγ補正テーブル４４、Ｒ：ガンマ補正テーブル５０、Ｇ：ガンマ補正テーブル５１及びＢ：ガンマ補正テーブル５２に転送する（ステップ１０３）。
これにより、オプション基板３０が新しい基板に交換され、コンパクトフラッシュ（登録商標）３５が空である場合には、自動的にフラッシュメモリ１２に記憶されている機台毎のガンマ補正データがコンパクトフラッシュ（登録商標）３５に複写される。
【００３０】
また、ステップ１０１でフラッシュメモリ１２に機台毎のガンマ補正データが記憶されていないと判定した場合、ＭＰＵ１１は、コンパクトフラッシュ（登録商標）３５にガンマ補正データが記憶されているか否かを判定し（ステップ１０５）、コンパクトフラッシュ（登録商標）３５にガンマ補正データが記憶されていると判定した場合、コンパクトフラッシュ（登録商標）３５に記憶されている機台毎のガンマ補正データをフラッシュメモリ１２に複写した（ステップ１０６）後、フラッシュメモリ１２に記憶されている機台毎のガンマ補正データを読取画像信号処理回路２５のγ補正テーブル４４、Ｒ：ガンマ補正テーブル５０、Ｇ：ガンマ補正テーブル５１及びＢ：ガンマ補正テーブル５２に転送する（ステップ１０３）。
これにより、メイン基板１０が新しい基板に交換され、フラッシュメモリ１２の機台毎のガンマ補正データ記憶領域が空である場合には、自動的にコンパクトフラッシュ（登録商標）３５に記憶されている機台毎のガンマ補正データがフラッシュメモリ１２に複写される。
【００３１】
さらに、ステップ１０５でコンパクトフラッシュ（登録商標）３５にガンマ補正データが記憶されていないと判定した場合、フラッシュメモリ１２に記憶されているデフォルトのガンマ補正データ、すなわち、機種共通のガンマ補正データを読取画像信号処理回路２５のγ補正テーブル４４、Ｒ：ガンマ補正テーブル５０、Ｇ：ガンマ補正テーブル５１及びＢ：ガンマ補正テーブル５２に転送した（ステップ１０７）後、プログラムを終了する。
すなわち、フラッシュメモリ１２、コンパクトフラッシュ（登録商標）３５の両方にガンマ補正データが記憶されていない場合には、デフォルトのガンマ補正データで以後の読取画像信号処理が行われる。
【００３２】
以上のように、メイン基板またはオプション基板が交換された場合には、交換された方の基板、すなわち、ガンマ補正データが空の基板に、もう一方の基板からガンマ補正データが自動的に転送されるが、他の機械で使用した基板など、すでにガンマ補正データが入っている基板と交換された場合は、自動的にガンマ補正データの複写を行うことはできないので、このような場合には、以下の手順でガンマ補正データの複写を行うことができる。
【００３３】
メイン基板をすでにガンマ補正データが入っている基板と交換した場合には、ＬＣＤ２７に表示されたテストファンクション機能からガンマ補正データ選択を選ぶと、ＬＣＤ２７に使用するガンマ補正データの選択画面が表示されるので、オプション基板を選択することにより、自動的にコンパクトフラッシュ（登録商標）３５に記憶されている機台毎のガンマ補正データをフラッシュメモリ１２に複写することができる。
【００３４】
また、オプション基板をすでにガンマ補正データが入っている基板と交換した場合には、同様に、ＬＣＤ２７に表示されたテストファンクション機能からガンマ補正データ選択を選ぶと、ＬＣＤ２７に使用するガンマ補正データの選択画面が表示されるので、メイン基板を選択することにより、自動的にフラッシュメモリ１２に記憶されている機台毎のガンマ補正データをコンパクトフラッシュ（登録商標）３５に複写することができる。
【００３５】
さらに、メイン基板、オプション基板の両方をすでにガンマ補正データが入っている基板と交換する場合には、交換前のオプション基板のコンパクトフラッシュ（登録商標）３５を一時的に新しいオプション基板に取り付けておき、メイン基板、オプション基板の両方を交換後、上記のメイン基板の交換時と同様に、ＬＣＤ２７に表示されたテストファンクション機能からガンマ補正データ選択を選び、ガンマ補正データの選択画面でオプション基板を選択することにより、コンパクトフラッシュ（登録商標）３５に記憶されている機台毎のガンマ補正データがフラッシュメモリ１２に複写される。
【００３６】
次に、一度電源をオフした後、新しいオプション基板に元々取り付けられていたコンパクトフラッシュ（登録商標）３５を挿してから電源をオンにし、上記のオプション基板の交換時と同様に、ＬＣＤ２７に表示されたテストファンクション機能からガンマ補正データ選択を選び、ガンマ補正データの選択画面でメイン基板を選択することにより、フラッシュメモリ１２に記憶されている機台毎のガンマ補正データをコンパクトフラッシュ（登録商標）３５に複写することができる。
【００３７】
なお、上記の実施例では、ガンマ補正データを複写する場合の例について説明したが、本発明の画像処理装置は、ガンマ補正データ以外の他の画像補正データの複写にも適用することができる。
また、上記の実施例では、本発明の画像処理装置を、デジタル複合機に適用した場合について説明したが、本発明の画像処理装置はコピー機等の他の画像読取装置にも適用することが可能である。
【図面の簡単な説明】
【００３８】
【図１】デジタル複合機を備えたシステムのネットワーク構成例を示す図である。
【図２】デジタル複合機のハードウェア構成を示すブロック図である。
【図３】フラッシュメモリに記憶されるプログラムやデータの例を示す図である。
【図４】読取画像処理回路の詳細を示すブロック図である。
【図５】電源オン時にガンマ補正データが読取画像信号処理回路に転送される場合の作用を示すフローチャートである。
【符号の説明】
【００３９】
１  デジタル複合機
２、３、４  パソコン
５  ＰＳＴＮ
６  ＬＡＮ
７  インターネット網
１０  メイン基板
１１  ＭＰＵ
１２  フラッシュメモリ
１３  ＳＲＡＭ
１４  メモリコントローラ
１５  画像メモリ
１６  コーデック
１７  モデム
１８  ＮＣＵ
１９  プリント画像信号処理回路
２０  プリンタ
２１  読取機構制御回路
２２  光源
２３  カラーＣＣＤ
２４  アナログフロントエンド
２５  読取画像信号処理回路
２６  操作パネル
２７  ＬＣＤ
２８  タッチスクリーン
２９、３６  バス
３０  オプション基板
３１  インターフェース
３２  ＭＰＵ２
３３  ＲＡＭ
３４  ＬＡＮ  Ｉ／Ｆ
３５  コンパクトフラッシュ（登録商標）
【図１】
2007258997.tif 000003
【図２】
2007258997.tif 000004
【図３】
2007258997.tif 000005
【図４】
2007258997.tif 000006
【図５】
2007258997.tif 000007